(57)【特許請求の範囲】
【請求項１】
下方への移動により閉鎖状態になって開口部を閉鎖し、上方への移動により開口状態になって前記開口部を開口させる開閉体と、
前記開口部に沿って昇降する開閉体を案内する案内体と、
前記開閉体の下端側に設けられた係合体と、
前記開閉体の下端側に上下方向に回動可能に設けられ、下方への回動により前記係合体の動きを規制するロック状態になり、上方への回動により前記係合体の動きを許容するロック解除状態になる操作体と、
前記案内体の下端側に上下方向に回動可能に設けられ、前記操作体のロック状態時に前記係合体と係合して閉鎖状態の前記開閉体の上方への移動を規制し、前記開閉体の下方への移動の際には前記係合体にて押されて下方回動してその開閉体の下方への移動を許容し、前記係合体が離れると上方回動してもとの状態に復帰する係合受け体と、
前記案内体の下部側に上下方向にスライド可能に設けられ、閉鎖状態の前記開閉体の下端側から上方に所定距離離れた位置から前記操作体を上方回動させてロック解除状態にするためのロック解除用操作部を有するロック解除用操作体と
を備えることを特徴とする開閉装置。
【請求項２】
開閉体は、ロック解除用操作部と対応する部分に手掛け部が形成されている
ことを特徴とする請求項１記載の開閉装置。
【請求項３】
操作体は、開閉体の下端側の略全幅にわたって位置する操作部を有する
ことを特徴とする請求項１または２記載の開閉装置。
【請求項４】
ロック解除用操作体のロック解除用操作部は、閉鎖状態の開閉体の下端から上方に約５００ｍｍ〜１５００ｍｍ離れた位置に位置する
ことを特徴とする請求項１ないし３のいずれかに記載の開閉装置。
【発明の詳細な説明】
【０００１】
【発明の属する技術分野】
本発明は、操作性が良好で、操作体を容易にロック解除状態にできる開閉装置に関する。
【０００２】
【従来の技術】
従来の開閉装置は、例えば開口部に沿って昇降する開閉体と、この開閉体の昇降を案内するガイドレールとを備えている。
【０００３】
この開閉体の下端部には、ラッチ体等の係合スライド体が左右方向にスライド可能に設けられているとともに、鍵レバー等の操作体が左右方向に揺動可能に設けられている。
【０００４】
また、ガイドレールの下端部には、係合スライド体と係合して閉鎖状態の開閉体の上昇を規制するラッチ掛り等の係合受け固定体が固着されている。
【０００５】
そして、開閉体の下降の際には、係合スライド体が係合受け固定体にて押されてスライドすることにより、開閉体の下降が許容される。
【０００６】
また、開閉体の上昇の際には、操作体が左右方向一方への揺動によりロック解除状態になっていれば、係合スライド体と係合受け固定体とが係合することがなく閉鎖状態の開閉体の上昇が許容されるが、操作体が左右方向他方への揺動によりロック状態になっていれば、係合スライド体と係合受け固定体との係合により閉鎖状態の開閉体の上昇が規制される。
【０００７】
【発明が解決しようとする課題】
しかしながら、上記従来の開閉装置では、例えば開閉体を手動で上昇させる際に、操作体を揺動操作してから開閉体に手を持ちかえる必要があり、操作体の操作と開閉体の操作とをそれぞれ別々にすることとなり、操作性が良好であるとはいえないおそれがある。
【０００８】
また、開閉体の下端部に設けられた操作体を揺動操作するために、例えば腰を大きくかがめなければならず、操作体を容易にロック解除状態にできないおそれがある。
【０００９】
本発明は、このような点に鑑みなされたもので、操作性が良好で、操作体を容易にロック解除状態にできる開閉装置を提供することを目的とする。
【００１０】
【課題を解決するための手段】
請求項１記載の開閉装置は、下方への移動により閉鎖状態になって開口部を閉鎖し、上方への移動により開口状態になって前記開口部を開口させる開閉体と、前記開口部に沿って昇降する開閉体を案内する案内体と、前記開閉体の下端側に設けられた係合体と、前記開閉体の下端側に上下方向に回動可能に設けられ、下方への回動により前記係合体の動きを規制するロック状態になり、上方への回動により前記係合体の動きを許容するロック解除状態になる操作体と、前記案内体の下端側に上下方向に回動可能に設けられ、前記操作体のロック状態時に前記係合体と係合して閉鎖状態の前記開閉体の上方への移動を規制し、前記開閉体の下方への移動の際には前記係合体にて押されて下方回動してその開閉体の下方への移動を許容し、前記係合体が離れると上方回動してもとの状態に復帰する係合受け体と、前記案内体の下部側に上下方向にスライド可能に設けられ、閉鎖状態の前記開閉体の下端側から上方に所定距離離れた位置から前記操作体を上方回動させてロック解除状態にするためのロック解除用操作部を有するロック解除用操作体とを備えるものである。
【００１１】
そして、開閉体を手動で上方に移動させる際に、操作体の操作と開閉体の操作とをワンアクションで行うことができるので、操作性が良好になり、また、ロック解除用操作部を操作することにより、閉鎖状態の開閉体の下端側から上方に所定距離離れた位置から操作体をロック解除状態にすることができるので、操作体を容易にロック解除状態にすることが可能になる。
【００１２】
請求項２記載の開閉装置は、請求項１記載の開閉装置において、開閉体は、ロック解除用操作部と対応する部分に手掛け部が形成されているものである。
【００１３】
そして、ロック解除用操作部を操作した場合でも、そのロック解除用操作部から開閉体の手掛け部に手を容易に持ちかえることができ、開閉体を容易に開口状態にすることが可能になる。
【００１４】
請求項３記載の開閉装置は、請求項１または２記載の開閉装置において、操作体は、開閉体の下端側の略全幅にわたって位置する操作部を有するものである。
【００１５】
そして、操作体は、開閉体の下端側の略全幅にわたって位置する操作部を有するので、操作性がきわめて良好になる。
【００１６】
請求項４記載の開閉装置は、請求項１ないし３のいずれかに記載の開閉装置において、ロック解除用操作体のロック解除用操作部は、閉鎖状態の開閉体の下端から上方に約５００ｍｍ〜１５００ｍｍ離れた位置に位置するものである。
【００１７】
そして、ロック解除用操作体のロック解除用操作部は、閉鎖状態の開閉体の下端から上方に約５００ｍｍ〜１５００ｍｍ離れた位置に位置するので、操作体を容易にロック解除状態にすることが可能になる。
【００１８】
【発明の実施の形態】
以下、本発明の開閉装置の一実施の形態の構成を図面を参照して説明する。
【００１９】
図１において、１は開閉装置で、この開閉装置１は、例えば建物に設けられた掃出し窓開口部等の開口部２を開閉する手動式の窓シャッタ装置等である。
【００２０】
そして、この開閉装置１は、閉移動方向（図示イ方向）である下方への移動つまり下降により略平板状の閉鎖状態になって開口部２を閉鎖し、開移動方向（図示ロ方向）である上方への移動つまり上昇により略円柱状の開口状態になって収容体３に収容されて開口部２を開口させる開閉体４を備えている。
【００２１】
この開閉体４は、例えばスラットおよび幅木等にて構成されたシャッタカーテン等で、図１ないし図８に示すように、この開閉体４の閉移動方向先端側である下端側の左右両側端には、ラッチ体等の係合体である係合回動体６が、開閉体４の厚さ方向（室内外方向）である前後方向の支軸７を介して上下方向に回動可能に設けられている。
【００２２】
この左右一対の係合回動体６は、図４および図８から明かなように、例えば支軸７に上部が回動可能に連結された基板部11を有している。
【００２３】
この基板部11には、開閉体４の下端部側面から側方に向って突出する係合部である係合板部12が一体に設けられている。この係合板部12の上面は、細長い略平面状に形成され、この係合板部12の先端面および下面は、連続した１つの円弧面状に形成されている。
【００２４】
また、この基板部11の下部には丸軸状の突部13が一体に設けられている。この突部13は、ガイド部14にて案内されつつ係合回動体６に連動して左右方向にスライドする左右方向に細長状のスライド板15の一端部に形成された上下方向の長孔16に挿通されている。
【００２５】
このスライド板15の他端部には、係合回動体６を上方回動させるように付勢する付勢体であるばね17が取り付けられている。また、スライド板15の長手方向略中央部には略矩形状の切欠き部18が形成されている。
【００２６】
また、開閉体４の閉移動方向先端側である下端側には、図１ないし図３に示すように、室内側から操作可能な左右方向に細長状の幅木レバーである操作レバー等の操作体21が、開閉体４の室内側の面と対向して位置するように、開閉体４の幅方向である左右方向の支軸22を介して上下方向に回動可能に設けられている。
【００２７】
この操作体21は、閉移動方向への回動である下方回動により係合回動体６の動き、例えば下方回動を規制するロック状態（施錠状態）になり、開移動方向への回動である上方回動により係合回動体６の下方回動を許容するロック解除状態（解錠状態）になるものである。
【００２８】
そして、この操作体21は、開閉体４の下端側の略全幅にわたって開閉体４の室内側の面と対向した状態に位置する手掛け操作部である操作部23を先端側に有している。
【００２９】
ここで、この操作体21は、例えば支軸22に上部が回動可能に嵌着された左右方向に細長状で中空形状の操作本体部25を有している。
【００３０】
この操作本体部25の両端部には、この操作本体部25を延長する延長部26が一体的に設けられているとともに、スライド板15の切欠き部18内に対して進退するストッパ部であるロック部27が一体的に設けられている。なお、この延長部26とロック部27とにて連結クローザ20が構成されている。
【００３１】
この延長部26は、略矩形状の基板部28を有し、この基板部28の下部の裏面つまり開閉体４との対向面には、係合段部29が一体に設けられている。この基板部28の下面は水平に対してやや傾斜した傾斜面32となっている。
【００３２】
また、この基板部28の内側部には、挿通孔30を有する連結板部31が一体に設けられ、この連結板部31が操作本体部25に対して固着されている。
【００３３】
一方、ロック部27は、やや細長い矩形状の基板部33を有し、この基板部33の長手方向一端側が、延長部26の連結板部31の挿通孔30に挿通されて操作本体部25内に位置し、操作本体部25に対して固着されている。
【００３４】
そして、この基板部33の長手方向他端部からは、略矩形状のロック板部34が開閉体４側である室外側に向って一体に突出し、このロック板部34の先端側が、開閉体４に形成された挿通孔35を介してスライド板15の切欠き部18内に対して進退可能となっている。
【００３５】
なお、開閉体４と操作体21との間には、この操作体21を下方回動させるように付勢する図示しない付勢体が配置されている。また、図４および図８に示されるように、開閉体４の下端側の側端部には、基板部11との当接により係合回動体６の所定以上の上方回動を規制するストッパ突部36が設けられている。
【００３６】
また、この開閉装置１は、開口部２の左右両側に立設され、開口部２に沿って移動つまり昇降する開閉体４を案内する左右一対の案内体であるガイドレール41を備えている。
【００３７】
この左右一対のガイドレール41には、図５に示されるように、開閉体４の側端部および係合回動体６が挿入される上下方向に細長状で断面略コ字状のガイド溝部42が形成されているとともに、このガイド溝部42に隣接して上下方向に細長状で断面略Ｃ字状の溝部43が形成されている。
【００３８】
そして、このガイドレール41の下端側、すなわち例えばガイドレール41の下端部の回動体取付部44には、図４ないし図６等に示すように、ラッチ掛り等の係合受け体である係合受け回動体51が、開閉体４の幅方向である左右方向の支軸52を介して上下方向に回動可能に設けられ、ガイド溝部42内に対して進退可能となっている。
【００３９】
この左右一対の係合受け回動体51は、操作体21のロック状態時に、ガイド溝部42内に進出した状態で、下方からの係合回動体６と当接係合してこの係合回動体６を受け止めて、閉鎖状態の開閉体４の上昇を規制するものである。
【００４０】
そして、この係合受け回動体51は、例えば支軸52に上部が回動可能に連結された略三角形状をなす一対の対向板部53を有している。
【００４１】
この対向板部53の傾斜辺縁部相互が略平板状の連結板部54にて一体に連結され、この対向板部53の下端部相互が略平板状の係合受け部である係合受け板部55にて一体に連結されている。
【００４２】
また、この対向板部53には、略円弧状の長孔56が形成され、この長孔56にはストッパ用の挿通軸57が挿通されている。さらに、この挿通軸57および支軸52には、係合受け回動体51を上方回動させるように付勢する付勢体であるばね58が取り付けられている。
【００４３】
またさらに、このガイドレール41の下部側、すなわち例えばガイドレール41の溝部43には、図１、図５および図１１に示すように、室内側から操作可能な上下方向に細長状の引き手棒等のロック解除用操作体61が、上下方向にスライド可能に嵌合された状態で設けられている。
【００４４】
そして、この左右一対のロック解除用操作体61は、閉鎖状態の開閉体４の下端側から上方に所定距離、例えば閉鎖状態の開閉体４の下端から約５００ｍｍ〜１５００ｍｍ離れた位置から、開閉体４の下端側の操作体21を上方回動させてロック解除状態にするためのロック解除用操作部62を上端側に有している。
【００４５】
なお、一般的な大人の場合、閉鎖状態の開閉体４の下端からの距離（高さ）が約５００ｍｍより小さくなるとロック解除用操作体61を操作するのに腰を大きくかがめなければならないおそれが強くなり、その距離（高さ）が約１５００ｍｍより大きくなるとロック解除用操作体61を操作しずらくなる。
【００４６】
ここで、このロック解除用操作体61は、例えば溝部43に嵌合され上下方向に細長状の嵌合板部64を有している。
【００４７】
そして、この嵌合板部64の上端部には連結部65を介してロック解除用操作部62が一体的に設けられている。このロック解除用操作部62は、略矩形板状に形成され、室内側から操作可能となっている。
【００４８】
また、この嵌合板部64の下端部には連結部66を介してブロック状の作用部67が一体的に設けられている。
【００４９】
この作用部67の上部の表面つまり室内側の面には、操作体21の延長部26の係合段部29と係脱する係合突部68が一体に設けられている。また、この作用部67の上面は、延長部26の傾斜面32に対応して水平に対してやや傾斜した傾斜面69となっている。なお、嵌合板部64には、ロック解除用操作体61が必要以上にスライドするのを規制する図示しないストッパ突部が一体に設けられ、このストッパ突部は溝部43に形成された長孔内に挿通されている。
【００５０】
また一方、図１に示されるように、開閉体４の室内側の面におけるロック解除用操作体61のロック解除用操作部62と対応する部分、すなわち例えば閉鎖状態時にロック解除用操作部62と略同じ高さに位置する部分には、左右一対の凹状の手掛け部71が形成されている。
【００５１】
また、略円柱状の開口状態の開閉体４を収容する収容体３は、両ガイドレール41の上端部相互にわたって配置されている。また、両ガイドレール41の下端部相互にわたって被当接部である下枠72が配置され、開閉体４の下端部にその下枠72に当接する当接部73が形成されている。
【００５２】
さらに、図示しないが、閉鎖状態の開閉体４の室内側の面に臨む部分が、例えば左右２枚の障子等の引違戸にて開閉可能となっている。また、この開閉体４の下端部の左右両側端には引違戸が当接する戸当り部74が一体的に設けられている。
【００５３】
次に、上記一実施の形態の動作を説明する。
【００５４】
開口部２を閉鎖する場合、開閉体４をこの開閉体４の当接部73が下枠72に当接する下限位置まで下降させる。
【００５５】
この際、図１３に示すように、開閉体４から突出した突出状態の係合回動体６の係合板部12が、ガイドレール41のガイド溝部42内に進出した進出状態の係合受け回動体51の傾斜状の連結板部54に当接すると、係合回動体６は基板部11とストッパ突部36との当接により回動しないが、係合受け回動体51は、係合回動体６にて押されて支軸52を中心として下方回動し、ガイド溝部42内から退避した退避状態になり、開閉体４の下降が許容される。
【００５６】
開閉体４とともに下降する突出状態の係合回動体６の係合板部12が、退避状態の係合受け回動体51を乗り越えるようにしてこの係合受け回動体51の傾斜状の連結板部54の下端から離れると、係合受け回動体51は、ばね58の付勢により支軸52を中心として上方回動し、もとの進出状態に復帰する。
【００５７】
そして、開口部２が閉鎖された状態で、かつ、ロック部27のロック板部34がスライド板15の切欠き部18内に進出して操作体21がロック状態になっている施錠状態で、閉鎖状態の開閉体４に上向きの外力が加えられ、その開閉体４がやや持上げられた場合、係合回動体６の係合板部12と係合受け回動体51の係合受け板部55との当接係合により、閉鎖状態の開閉体４の上昇が規制され、開閉体４の閉鎖状態が維持される。
【００５８】
すなわち、突出状態の係合回動体６が、進出状態の係合受け回動体51にて押されて下方回動しようとするが、図８の２点鎖線で示すように、スライド板15が操作体21のロック板部34に当接してスライド規制されるため、係合回動体６は所定以上回動せず、係合回動体６と係合受け回動体51との当接係合が維持され、開閉体４の上昇が規制される。
【００５９】
次いで、開口部２を開口させる場合について説明する。
【００６０】
まず、操作体21のみのワンアクション操作で開口部２を開口させる場合、操作体21の操作部23を手に持って、この操作体21とともに開閉体４を持ち上げるように操作すれば、操作体21が支軸22を中心として上方回動してロック解除状態に自然と切り換わるので、そのまま開閉体４を上昇させることができる。
【００６１】
操作体21がロック解除状態になれば、図１４に示すように、開閉体４の上昇の際に、突出状態の係合回動体６の係合板部12が、進出状態の係合受け回動体51の係合受け板部55に当接すると、係合受け回動体51は挿通軸57が対向板部53の長孔56端部に臨む部分に当接するため回動しないが、係合回動体６は、係合受け回動体51にて押されて支軸７を中心として下方回動し、開閉体４内に後退した非突出状態になり、開閉体４の上昇が許容される。
【００６２】
開閉体４とともに上昇する非突出状態の係合回動体６が、係合受け回動体51の対向板部53の上端から離れると、係合回動体６は、ばね17の付勢により支軸７を中心として上方回動し、もとの突出状態に復帰する。
【００６３】
また、ロック解除用操作体61を利用して、立った姿勢のままかがまずに開口部２を開口させる場合は、まず、例えば左右いずれかの引違戸をスライドさせてから、対応する側のロック解除用操作体61のロック解除用操作部62を手に持って操作し、ロック解除用操作体61をガイドレール41の溝部43に沿って上方にスライドさせることで、開閉体４の下端側の操作体21を支軸22を中心として上方回動させてロック解除状態にする。
【００６４】
ロック解除用操作体61が上方にスライドすると、図９、図１０および図１２に示すように、操作体21の延長部26の傾斜面32がロック解除用操作体61の作用部67の傾斜面69にて押され、操作体21が上方回動してロック解除状態になる。
【００６５】
このとき、操作体21の係合段部29とロック解除用操作体61の係合突部68とが引掛り係合するため、ロック解除用操作体61のロック解除用操作部62から手を離しても、ロック解除用操作体61がその自重で下方にスライドせず、操作体21のロック解除状態が維持される。
【００６６】
そして、ロック解除用操作部62の近くにある手掛け部71に手を掛けて開閉体４を上昇させれば、開口部２を開口でき、例えば室外側から光等を室内側に採り入れることができる。
【００６７】
なお、手掛け部71を利用して開閉体４を上昇させれば、係合回動体６が係合受け回動体51とは係合しない位置まで上昇した時点で、係合段部29と係合突部68との係合が自動的に解除され、操作体21が付勢体にて付勢されて下方回動してもとの姿勢に戻る。
【００６８】
このようにして、上記一実施の形態によれば、開閉体４を手動で上昇させる際に、操作体21を上方に回動操作してから開閉体４の例えば手掛け部71等に手を持ちかえる必要がなく、操作体21のロック解除状態への切換え操作と開閉体４の上昇操作とをワンアクションで行うことができるので、操作性が良好である。
【００６９】
また、繰り返し使用しても、係合回動体６の回動動作および係合受け回動体51の回動動作がにぶくなるようなことを防止し、開口部２を適切に開閉できる。
【００７０】
さらに、操作体21は、開閉体４の下端部略全幅にわたって位置する操作部23を有するので、開閉体４の下端部の中央位置や左右いずれかの側端位置等、左右方向に関してどこの位置からでも操作でき、操作性がきわめて良好である。
【００７１】
また、閉鎖状態の開閉体４の下端側から上方に所定距離離れた位置から操作体21をロック解除状態にするためのロック解除用操作部62を有するロック解除用操作体61を備えるので、ロック解除用操作部62の操作により操作体21を容易にロック解除状態にでき、よって例えば立った姿勢のまま腰を大きくかがめることなく、操作体21を容易にロック解除状態に切り換えることができる。
【００７２】
なお、上記実施の形態では、ラッチ体等の係合体は回動可能な係合回動体６で、ラッチ掛り等の係合受け体は回動可能な係合受け回動体51であるとして説明したが、例えば、図示しないが、係合体を水平またはやや傾斜した左右方向に移動可能なものにしたり、係合体を固定式のものとしたりしてもよい。
【００７３】
また、開閉装置１は、開口部２の左右両側に配置された左右一対のロック解除用操作体61を備えるものには限定されず、例えば１つのロック解除用操作体61を開口部２の左右両側のいずれか一方のみに配置したものでもよい。
【００７４】
さらに、操作体21の操作部23は、開閉体４の下端部略全幅にわたって位置するものには限定されず、例えば開閉体４の下端部の側端位置、或いは開閉体４の下端部の中央位置等に位置するものでもよい。
【００７５】
また一方、開閉装置１は、開口部２の周囲に固定された窓シャッタ装置には限定されず、例えばその他の開口部の周囲に固定されたその他のシャッタ装置、雨戸、引戸等のドア装置、ブラインド装置、サッシ障子を有するサッシ窓装置、スクリーン装置等、或いは、これら装置のうちの同種または異種を複数並設したものでもよい。
【００７６】
さらに、開閉体４をシャッタカーテンとした場合は、複数のスラット等を用いる構成には限定されず、パネル、パイプ、シート、ネット等を用いる構成や、これらを適宜組み合わせた構成、１枚のシート部材や１枚の板状部材にて形成した構成等でもよい。
【００７７】
また、開閉体４は開閉機のブレーキの解除により自重下降して閉鎖するものや電動モータにより電動開閉するものでもよく、また、開閉体４の収納方式は、巻軸等の巻体の回転による巻取式には限定されず、例えば、折り畳み式、送り込み式、分離重合式等の任意のものとしてもよい。
【００７８】
さらに、開閉体４の閉移動方向先端部が当接する被当接部は、下枠72には限定されず、例えば床面、或いはガイドレール等の案内体に突設された突出部であってもよい。
【００７９】
また、ロック解除用操作体61は、その略全体がガイドレール41内に配置されたものには限定されず、例えばガイドレール41外に露出した状態で配置されたもの等でもよい。なお、ロック解除用操作体61のガイドレール41外の露出部分（操作部62および作用部67を除く部分）は、カバー体にて覆い隠すようにしてもよい。
【００８０】
さらに、開閉体４の手掛け部71は、構成、形状等が任意で、例えばどこでも手が掛けられるスラットで形成してもよい。なお、開閉体４の略全体を例えばどこでも手が掛けられる複数のスラットで形成してもよい。
【００８１】
【発明の効果】
請求項１の発明によれば、開閉体を手動で上方に移動させる際に、操作体の操作と開閉体の操作とをワンアクションで行うことができるので、操作性が良好であり、また、ロック解除用操作部を操作することにより、閉鎖状態の開閉体の下端側から上方に所定距離離れた位置から操作体をロック解除状態にすることができるので、操作体を容易にロック解除状態にできる。
【００８２】
請求項２の発明によれば、ロック解除用操作部を操作した場合でも、そのロック解除用操作部から開閉体の手掛け部に手を容易に持ちかえることができ、開閉体を容易に開口状態にできる。
【００８３】
請求項３の発明によれば、操作体は、開閉体の下端側の略全幅にわたって位置する操作部を有するので、操作性がきわめて良好である。
【００８４】
請求項４の発明によれば、ロック解除用操作体のロック解除用操作部は、閉鎖状態の開閉体の下端から上方に約５００ｍｍ〜１５００ｍｍ離れた位置に位置するので、操作体を容易にロック解除状態にできる。
【図面の簡単な説明】
【図１】  本発明の開閉装置の一実施の形態を示す室内からみた斜視図である。
【図２】  同上開閉装置の一部の分解斜視図である。
【図３】  同上開閉装置の一部の組立後の斜視図である。
【図４】  同上開閉装置の係合回動体および係合受け回動体の斜視図である。
【図５】  同上開閉装置の係合回動体および係合受け回動体の平面図である。
【図６】  同上開閉装置の係合回動体および係合受け回動体の側面図である。
【図７】  同上開閉装置の係合回動体の室内視図である。
【図８】  同上開閉装置の係合回動体の室外視図である。
【図９】  同上開閉装置のロック状態の操作体の側面図である。
【図１０】  同上開閉装置のロック解除状態の操作体の側面図である。
【図１１】  同上開閉装置の延長操作体の斜視図である。
【図１２】  同上開閉装置の延長操作体にて操作体がロック状態にされた状態を示す側面図である。
【図１３】  前記開閉装置の係合受け回動体が係合回動体にて押された状態を示す側面図である。
【図１４】  前記開閉装置の係合回動体が係合受け回動体にて押された状態を示す側面図である。
【符号の説明】
１    開閉装置
２    開口部
４    開閉体
６    係合体である係合回動体
21    操作体
23    操作部
51    係合受け体である係合受け回動体
61    ロック解除用操作体
62    ロック解除用操作部
71    手掛け部
【図１】
0003876189.tif 000002
【図２】
0003876189.tif 000003
【図３】
0003876189.tif 000004
【図４】
0003876189.tif 000005
【図５】
0003876189.tif 000006
【図６】
0003876189.tif 000007
【図７】
0003876189.tif 000008
【図８】
0003876189.tif 000009
【図９】
0003876189.tif 000010
【図１０】
0003876189.tif 000011
【図１１】
0003876189.tif 000012
【図１２】
0003876189.tif 000013
【図１３】
0003876189.tif 000014
【図１４】
0003876189.tif 000015